(57)【要約】【課題】  適切に着座を検出し得る座席装置を提供する。【解決手段】  本発明の座席装置１は、開口に並べられて張り渡される複数本のばね１３と、複数本のばね１３上に載置される、着座に起因した前記クッションパッドにおける上下方向の変位に連動して動かない部材１２と、磁石３１及び磁気センサ３２とを備える。磁石３１及び磁気センサ３２の一方は、ばね１３又はクッションパッド２０に固定され、磁石３１及び磁気センサ３２の他方は、磁石３１及び磁気センサ３２の一方よりも下方において部材１２に支持される。【選択図】    図２
2015227065.tif 000002
【特許請求の範囲】
【請求項１】
開口に並べられて張り渡される複数本のばねと、
前記複数本のばね上に載置されるクッションパッドと、
着座に起因した前記クッションパッドにおける上下方向の変位に連動して動かない部材と、
磁石及び磁気センサと
を備え、
前記磁石及び前記磁気センサの一方は、前記ばね又は前記クッションパッドに固定され、
前記磁石及び前記磁気センサの他方は、前記磁石及び磁気センサの前記一方よりも下方において前記部材に支持される
ことを特徴とする座席装置。
【請求項２】
前記部材は、前記クッションパッドとともに前記クッションパッドの前後方向及び左右方向の少なくとも一方へ移動可能な部材である
ことを特徴とする請求項１に記載の座席装置。
【請求項３】
前記磁石と前記磁気センサとは鉛直方向において互いに重なり合う配置関係とされる
ことを特徴とする請求項１又は請求項２に記載の座席装置。
【請求項４】
前記磁石及び前記磁気センサの前記一方は、ばね底の下側に位置する状態で前記ばねに固定される
ことを特徴とする請求項１〜請求項３いずれか１項に記載の座席装置。
【請求項５】
前記磁石は、前記ばね又は前記クッションパッドに固定され、
前記磁気センサは、前記磁石よりも下方において前記部材に支持される
ことを特徴とする請求項１〜請求項４いずれか１項に記載の座席装置。
【発明の詳細な説明】
【技術分野】
【０００１】
本発明は座席装置に関し、車両等における座席の着座を検知する技術分野において好適なものである。
【背景技術】
【０００２】
車両における安全システムの一つとして、乗車時にシートベルトが非着用であることを警告するアラームシステムが実用化されている。このアラームシステムでは、人の着座が検知されている状態においてシートベルトの着用が非検知となる場合に、警告が発せられる。このようなアラームシステムなどに用いられる着座センサとして、下記特許文献１が提案されている。
【０００３】
この特許文献１の着座センサは、クッションパッドの下方に配置される検出部を有するメンブレンスイッチと、Ｓばねに支持されるとともに検出部の下方に配置される受圧部を有するホルダと、検出部及び受圧部の間に介装されるスペーサとを備えている。
【０００４】
このメンブレンスイッチの検出部は上部フィルム及び下部フィルムと、当該上部フィルム及び下部フィルム間に配置される離隔保持部を備えており、クッションパッドの押圧によって各フィルムに配置される接点同士が離隔保持部を介して接触する構成となっている。
【先行技術文献】
【特許文献】
【０００５】
【特許文献１】特開２０１１−１０５２７８
【発明の概要】
【発明が解決しようとする課題】
【０００６】
ところが、上記特許文献１における検出部を構成する上部フィルムはクッションパッドの下面に接触しているため、例えばクッションパッドに物が置かれた場合にも接点同士が接触し易く誤検出する傾向が高いという課題があった。
【０００７】
そこで、本発明は、適切に着座を検出し得る座席装置を提供することを目的とする。
【課題を解決するための手段】
【０００８】
本発明者は上記課題を解決するため鋭意検討した結果、特許文献１の着座センサが適切に着座を検出できない別の原因を明らかにした。すなわち、着座センサがばねに支持されている場合、当該着座センサがクッションパッドによって押圧されたとしても、クッションパッドと着座センサとの相対的位置が殆ど変わらないことが原因で、着座センサの接点同士が接触せず、適切に着座を検出できていなかった。特に、特許文献１の着座センサのように、接点の物理的接触により着座が検出する場合には、当該接点間の変位が小さく設計が難しいため、誤検知の傾向が大きかった。
【０００９】
そこで、本発明者は更に鋭意検討を重ねた結果、上記課題を解決し得る本発明に至った。
【００１０】
本発明は、開口に並べられて張り渡される複数本のばねと、前記複数本のばね上に載置されるクッションパッドと、着座に起因した前記クッションパッドにおける上下方向の変位に連動して動かない部材と、磁石及び磁気センサを有する着座センサとを備え、前記磁石及び前記磁気センサの一方は、前記ばね又は前記クッションパッドに固定され、前記磁石及び前記磁気センサの他方は、前記磁石及び磁気センサの前記一方よりも下方において前記部材に支持されることを特徴とする。
【００１１】
このような座席装置では、ばねに載置されるクッションパッドに人が着座した場合、当該クッションパッド及びばねが鉛直方向へ落ち込むように変位する。このため、磁石及び磁気センサの一方が他方に近づいて、当該磁気センサにおける磁場が強くなる。したがって、磁気センサが、磁場の変化を検出することで着座を検出することが可能となる。
このように、着座に起因したクッションパッドにおける上下方向の変位に連動して動くばねに磁石及び磁気センサの一方が固定され、当該変位に連動して動かない部材に他方が支持されることで、磁石と磁気センサとの間の距離が感圧スイッチのような物理的接点間の距離より大きい場合であっても、クッションパッドの変位を磁場の変化として捉えることができる。
こうして、適切に着座を検出することができる。
また、クッションパッドの変位に応じた磁場の変化により着座が検出されるため、感圧スイッチのように物理的接触により着座を検出する場合に比べて、着座の検出感度を維持しながらも、磁石及び磁気センサにおける配置位置の制約を緩和することもできる。
【００１２】
また、前記部材は、前記クッションパッドとともに前記クッションパッドの前後方向及び左右方向の少なくとも一方へ移動可能な部材であることが好ましい。
【００１３】
クッションパッドが前後方向又は左右方向に移動する場合、クッションパッドが載置されるばね、及び、そのばねに固定される磁石又は磁気センサの一方は、当該クッションパッドとともにクッションパッドの前後方向又は左右方向へ相対的に移動する。
したがって、磁石又は磁気センサの他方が、クッションパッドとともにクッションパッドの前後方向及び左右方向の少なくとも一方へ移動可能な部材に支持された場合、クッションパッドが移動したとしても、当該磁石と磁気センサとの相対的な位置関係は変わらない。このため、クッションパッドが前後方向又は左右方向へ移動することに起因して磁気センサにおける検出感度が変化することを防止することができる。
【００１４】
また、前記磁石と前記磁気センサとは鉛直方向において互いに重なり合う配置関係とされることが好ましい。
【００１５】
このような配置関係とされる場合、当該配置関係とされない場合に比べて、クッションパッドの変位を磁場の変化としてより鋭敏に捉えることができ、この結果、着座の検出感度を高めることができる。
【００１６】
また、前記磁石及び前記磁気センサの前記一方は、ばね底の下側に位置する状態で前記ばねに固定されることが好ましい。
【００１７】
このように固定した場合、永久磁石と磁気センサとの間にばねが介在することを避けることができる。したがって、ばねが金属であっても、永久磁石が発する磁場に対する影響を、永久磁石と磁気センサとの間にばねが介在する場合に比べて小さくして、着座の検出感度を高めることができる。
【００１８】
なお、前記磁石は、前記ばね又は前記クッションパッドに固定され、前記磁気センサは、前記磁石よりも下方において前記部材に支持されるようにすることができる。
【発明の効果】
【００１９】
以上のように本発明によれば、適切に着座を検出し得る座席装置を実現することができる。
【図面の簡単な説明】
【００２０】
【図１】第１実施形態の座席装置を斜め方向から見た様子を示す図である。
【図２】図１のＸ−Ｘ線に沿った断面の様子を示す図である。
【図３】ばねの長さ方向に直交する方向における磁石固定具の断面の様子を示す図である。
【図４】座席装置に人が着座したときの様子を図２と同じ視点で示す図である。
【図５】第２実施形態の座席装置について図１のＹ−Ｙ線に沿った断面の一部を示す図である。
【発明を実施するための形態】
【００２１】
（１）第１実施形態
本発明に好適となる第１実施形態について図面を用いながら詳細に説明する。
【００２２】
＜座席装置について＞
図１は、第１実施形態の座席装置１を斜め方向から見た様子を示す図であり、図２は、図１のＸ−Ｘ線に沿った断面の様子を示す図である。
【００２３】
図１に示すように、座席装置１は、クッション載置ユニット１０と、クッションパッド２０と、着座センサユニット３０とを主な構成要素として備える。
【００２４】
＜クッション載置ユニットについて＞
クッション載置ユニット１０は、図１及び図２に示すように、架台１１、支持フレーム１２及び複数本のばね１３を主な構成要素として備える。
【００２５】
架台１１は、クッションパッド２０を支える基盤となる土台部材であり、人の着座に起因してクッションパッド２０に加わる圧力によって変形しない程度以上の剛性を有する。
【００２６】
本実施形態の場合、互いに平行に配設される左基礎脚部１１Ａ及び右基礎脚部１１Ｂと、左基礎脚部１１Ａに立設される左前脚部１１Ｃ及び左後脚部１１Ｄと、右基礎脚部１１Ｂに立設される右前脚部１１Ｅ及び右後脚部１１Ｆにより架台１１が構成される。これら脚部１１Ａ〜１１Ｆの材料としては、例えば金属あるいはセラミック等を挙げることができる。
【００２７】
支持フレーム１２は、複数本のばね１３を支持するフレーム部材であり、架台１１に固定される。また、支持フレーム１２は、架台１１と同様に、人の着座に起因してクッションパッド２０に加わる圧力によって変形しない程度以上の剛性を有する。
【００２８】
本実施形態の場合、前フレーム１２Ａ、後フレーム１２Ｂ、左フレーム１２Ｃ及び右フレーム１２Ｄにより支持フレーム１２が構成され、これらフレーム１２Ａ〜１２Ｄは左前脚部１１Ｃ、左後脚部１１Ｄ、右前脚部１１Ｅ及び右後脚部１１Ｆそれぞれの上端に固定される。
【００２９】
各フレーム１２Ａ〜１２Ｄの材料としては、例えば金属あるいはセラミック等を挙げることができる。なお、各フレーム１２Ａ〜１２Ｄの材料は、脚部１１Ａ〜１１Ｆの材料と同じであっても異なっていても良い。また、各フレーム１２Ａ〜１２Ｄは、脚部１１Ａ〜１１Ｆと一体に成形されていても良い。
【００３０】
複数本のばね１３は、クッションパッド２０を載置する部材であり、支持フレーム１２の開口に並べられて張り渡される。
【００３１】
本実施形態の場合、各ばね１３は、同一面上でＳ字状に繰り返し屈曲する金属製の線材とされ、その断面形状は例えば円形とされる。これらばね１３の前端は前フレーム１２Ａに取り付けられ、後端は後フレーム１２Ｂに取り付けられる。こうして、複数本のばね１３は、クッションパッド２０の前後方向に沿って、支持フレーム１２により囲まれる開口に所定間隔を隔てて張り渡され、クッションパッド２０のマットとして構成される。
【００３２】
＜クッションパッドについて＞
クッションパッド２０は、着座対象となる部材であり、圧力が加わると潰れるように変形する弾性部材とされる。このような弾性部材の材料としては、発泡ウレタン等を挙げることができる。
【００３３】
本実施形態の場合、図１に示すように、このクッションパッド２０の後端部には背もたれ部材２１が連結される。
【００３４】
＜着座センサユニットについて＞
着座センサユニット３０は、図１及び図２に示すように、着座センサとしての永久磁石３１及び磁気センサ３２と、センサ支持部３３とを主な構成要素として備える。なお、図１におけるＸ−Ｘ線は、座席装置１の最も外側にある１本のばね１３を座席装置１の前後方向に通る線である。
【００３５】
永久磁石３１は、外部から磁場や電流等の供給を受けることなく長期にわたって磁場を発するものであり、具体例として、フェライト磁石、金属磁石又はボンド磁石などが挙げられる。
【００３６】
本実施形態の場合、永久磁石３１は、磁石固定具４０によって、ばね底の下側に位置する状態で、最も外側に位置する１本のばね１３に固定される。図３は、ばね１３の長さ方向に直交する方向における磁石固定具４０の断面の様子を示す図である。
【００３７】
図３に示すように、磁石固定具４０は、プレート４１と、プレート４１の一方の面に設けられる磁石挟持部４２と、当該プレート４１の他方の面に設けられるばね挟持部４３とを有する。このプレート４１の材料は例えば金属又は樹脂を挙げることができ、磁石挟持部４２及びばね挟持部４３の材料は例えば樹脂等の可撓性を有するものを挙げることができる。
【００３８】
ばね挟持部４３は１本のばね部位を下側から挟持してプレート４１をばね部位に固定し、当該プレート４１におけるばね挟持部４３の設置面とは逆の面に設けられる磁石挟持部４２によって、ばね底の直下において永久磁石３１が挟持される。
【００３９】
磁気センサ３２は、永久磁石３１が発する磁場に基づいて、当該永久磁石３１が接近したことを検出するものであり、具体例として、リードスイッチ、コイル、ホール素子又はＭＲ(Magnetism Resistance)素子を用いた磁気センサが挙げられる。
【００４０】
センサ支持部３３は、永久磁石３１よりも下方において磁気センサ３２を支持する部材である。図１及び図２に示すように、本実施形態のセンサ支持部３３は例えば薄厚金属製や樹脂製のプレートでなり、当該センサ支持部３３における一端が例えばはんだ付けにより前フレーム１２Ａに固定される。
【００４１】
このようなセンサ支持部３３の上面に磁気センサ３２が例えば接着剤により固定されおり、これにより磁気センサ３２がばね底よりも下方において支持される。なお、本実施形態の場合、センサ支持部３３によって支持される磁気センサ３２の支持位置は、永久磁石３１の鉛直方向において永久磁石３１と重なる位置とされる。
【００４２】
＜着座検出について＞
図４は、座席装置１に人が着座したときの様子を図２と同じ視点で示す図である。図４に示すように、クッションパッド２０に人が着座した場合、当該クッションパッド２０の座面から圧力が加わる。
【００４３】
この場合、クッションパッド２０と、そのクッションパッド２０が載置される複数本のばね１３とは鉛直方向へ落ち込むように変位し、当該クッションパッド下面及びばね底は、着座していないときの位置（破線で示す）から低くなる。
【００４４】
このため、ばね部位に固定される永久磁石３１は、当該永久磁石３１の鉛直方向において永久磁石３１と重なる位置に配置される磁気センサ３２に近づき、当該磁気センサ３２における磁場が強くなる。
【００４５】
磁気センサ３２では、磁場の大きさに対して閾値が設定されており、当該磁気センサ３２は、閾値よりも大きいレベルの磁場を検出しているときには、着座状態にあることを表す信号を後段の回路に出力する。
【００４６】
このように本実施形態の座席装置１では、磁気センサ３２に対する永久磁石３１の距離に応じて着座が検出される。
【００４７】
なお、クッションパッド２０及び複数本のばね１３は、全体として、鉛直方向へ落ち込むように変位するため、座席装置１の端部におけるクッションパッド下面及びばね底の変位量については中央部と同程度であることが確認されている。
【００４８】
したがって、本実施形態のように座席装置１の端部（支持フレーム１２の開口内の端部）に永久磁石３１及び磁気センサ３２が配置されている場合であっても、当該座席装置１の中央部に配置される場合と同等の検出感度を得ることができる。また、座席装置１の端部に永久磁石３１及び磁気センサ３２が配置されることで、クッションパッド２０の下方に配置すべき電子部品等の配置スペースを確保し易くすることができる。
【００４９】
＜本実施形態の効果等＞
以上のとおり、本実施形態の座席装置１では、図２に示したように、永久磁石３１がばね１３に固定され、磁気センサ３２が永久磁石３１よりも下方において前フレーム１２Ａに支持されている。
【００５０】
このような座席装置１では、ばね１３に載置されるクッションパッド２０に人が着座した場合、図４に示したように、当該クッションパッド２０及びばね１３が鉛直方向へ落ち込むように変位する。このため、前フレーム１２Ａに支持される磁気センサ３２に、ばね１３に固定される永久磁石３１が近づいて、当該磁気センサ３２における磁場が強くなる。したがって、磁気センサ３２が、磁場の変化を検出することで着座を検出することが可能となる。
【００５１】
このように、着座に起因したクッションパッド２０における上下方向の変位に連動して動くばね１３に永久磁石３１が固定され、当該変位に連動して動かない前フレーム１２Ａに磁気センサ３２が支持されている。したがって、永久磁石３１と磁気センサ３２との間の距離が感圧スイッチのような物理的接点間の距離より大きい場合であっても、クッションパッド２０の変位を磁場の変化として捉えることができる。
【００５２】
このため、本実施形態の座席装置１では、磁気センサ３２が１つであったとしても、また支持フレーム１２の開口内の端部に配置されていたとしても、適切に着座を検出することができる。こうして、適切に着座を検出し得る座席装置１が実現される。
【００５３】
また、クッションパッド２０の変位に応じた磁場の変化により着座が検出されるため、感圧スイッチにおける物理的接触により着座を検出する場合に比べて、着座の検出感度を維持しながらも、永久磁石３１及び磁気センサ３２における配置位置の制約を緩和することもできる。
【００５４】
また、本実施形態の場合、図２に示したように、永久磁石３１と磁気センサ３２とは鉛直方向において互いに重なり合う配置関係とされている。
【００５５】
このような配置関係とされる場合、当該配置関係とされない場合に比べて、クッションパッド２０の変位を磁場の変化としてより鋭敏に捉えることができ、この結果、着座の検出感度を高めることができる。
【００５６】
また、本実施形態の場合、図２に示したように、永久磁石３１は、ばね底の下側に位置する状態でばね１３に固定されている。
【００５７】
このため、永久磁石３１と磁気センサ３２との間にばね１３が介在することを避けることができる。したがって、ばね１３が金属であっても、永久磁石３１が発する磁場に対する影響を、永久磁石３１と磁気センサ３２との間にばね１３が介在する場合に比べて小さくして、着座の検出感度を高めることができる。
【００５８】
（２）第２実施形態
次に、本発明に好適となる第２実施形態について図面を用いながら詳細に説明する。ただし、第２実施形態における座席装置の構成要素のうち第１実施形態と同一又は同等の構成要素については、同一の参照符号を付し、重複する説明は適宜省略する。
【００５９】
図５は、第２実施形態の座席装置２について図１のＹ−Ｙ線に沿った断面の一部を示す図である。なお、図１におけるＹ−Ｙ線は、座席装置１の前端部を座席装置１の左右方向に通る線である。なお、図５では、磁気センサー３２が浮いているように示されているが、実際には、前フレーム１２Ａ（図１）に固定されるセンサ支持部３３（図１）によって、磁気センサー３２の直下に磁気センサー３２が配置される。
【００６０】
図５に示すように、本実施形態の座席装置２は、永久磁石３１の固定位置のみ、第１実施形態の座席装置１と相違している。
【００６１】
具体的に第１実施形態では、永久磁石３１が磁石固定具４０によりばね１３に固定されていたのに対し、本実施形態では、永久磁石３１が例えば接着剤によりクッションパッド下面に固定されている。
【００６２】
なお、本実施形態の場合、クッションパッド下面における永久磁石３１の固定位置は、互いに隣り合うばね１３間の領域とされる。
【００６３】
このようにしても上記第１実施形態と同様に、クッションパッド２０の変位を磁場の変化として捉えて、適切に着座を検出することができる。また、永久磁石３１と磁気センサ３２との間にばね１３が介在することが避けられているため、上記第１実施形態と同様に、永久磁石３１が発する磁場に対する影響をばね１３が金属であっても小さくすることができ、着座の検出感度を高めることができる。
【００６４】
（３）他の実施形態
以上、第１実施形態及び第２実施形態が一例として説明された。しかしながら本発明は上記第１実施形態及び第２実施形態に限定されるものではない。
【００６５】
例えば上記第１実施形態では、磁石固定具４０によって永久磁石３１がばね１３に固定された。しかしながら、永久磁石３１をばね１３に固定する固定具は、例えば接着剤等のように磁石固定具４０以外のものを適用することができる。一方、上記第２実施形態では、接着剤によって永久磁石３１がクッションパッド下面に固定された。しかしながら、永久磁石３１をばね１３に固定する固定具は、例えば磁石を貫通するピン等のように接着剤以外のものを適用することができる。要するに、ばね１３に固定可能な固定具が適用されれば良い。
【００６６】
また上記実施形態では、１つの永久磁石３１がばね１３に固定された。しかしながら、ばね１３に固定すべき永久磁石３１の数は１つに限らず、２以上であっても良い。
【００６７】
また上記第１実施形態では、１本のばね１３に永久磁石３１が固定され、上記第２実施形態では、クッションパッド下面に永久磁石３１が固定された。しかしながら、永久磁石３１を固定すべき部位として、例えば２本以上のばね１３が適用されても良く、クッションパッド２０の側面、上面又は内部が適用されても良い。また、上記第１実施形態では、永久磁石３１がばね底の下側に位置する状態でばね１３に固定されたが、当該ばね底の上側に位置する状態でばね１３に固定されていても良い。要するに、ばね１３又はクッションパッド２０が固定対象であれば良い。
【００６８】
また上記実施形態では、永久磁石３１が適用されたが、当該永久磁石３１に代えて電磁石が適用されても良い。なお、電磁石を適用した場合、例えば、電磁石の直下に磁気センサがあるときの位置を基準として、当該位置から離れるほど、電磁石に与えるべき電流量を大きくすることができる。このようにすれば、電磁石と磁気センサ３２との相対的位置が変化しても、当該磁気センサ３２における検出感度を同程度に調整することができる。
【００６９】
また上記実施形態では、磁気センサ３２が、センサ支持部３３を通じて間接的に前フレーム１２Ａに支持された。しかしながら、例えば、磁気センサ３２を接着剤により前フレーム１２Ａに固定することで、磁気センサ３２が直接的に前フレーム１２Ａに支持されていても良い。また、センサ支持部３３を支持フレーム１２と一体に成形し、当該成形した支持フレームに磁気センサ３２を固定することで磁気センサ３２が支持されていても良い。
【００７０】
なお、磁気センサ３２が直接的又は間接的に支持されるべき部位は、前フレーム１２Ａに限らず、例えば、後フレーム１２Ｂ、左フレーム１２Ｃあるいは右フレーム１２Ｄ、又は架台１１を適用することができ、当該例示以外の部位も適用可能である。要するに、着座に起因したクッションパッド２０の変位に連動して動かない部材であれば、上述の実施形態と同様の効果を得ることができる。
【００７１】
ところで、着座に起因したクッションパッド２０の変位に連動して動かない部材のなかには、クッションパッド２０とともにクッションパッド２０の前後方向及び左右方向の少なくとも一方へ移動可能な部材がある。
具体的には、例えば、クッションパッド２０の前後方向にスライドさせる溝に架台１１が設けられていた場合、当該架台１１及び支持フレーム１２は、クッションパッド２０とともにクッションパッド２０の前後方向へ相対的に移動可能な部材となる。
この場合、クッションパッド２０が載置されるばね１３、及び、そのばね１３に固定される磁石についても、架台１１及び支持フレーム１２と同様に、当該クッションパッド２０とともにクッションパッド２０の前後方向へ相対的に移動することになる。
したがって、クッションパッド２０とともにクッションパッド２０の前後方向へ移動可能な部材に磁気センサ３２が直接的又は間接的に支持された場合、クッションパッド２０が移動したとしても、当該磁石と磁気センサ３２との相対的な位置関係は変わらない。このため、クッションパッド２０が前後方向へ移動することに起因して磁気センサ３２における検出感度が変化することを防止することができる。
なお、クッションパッド２０とともにクッションパッド２０の左右方向へ移動可能な部材に磁気センサ３２が直接的又は間接的に支持された場合も同様である。
【００７２】
また上記実施形態では、磁石がばね１３又はクッションパッド２０に固定され、磁気センサ３２が永久磁石３１よりも下方において着座に起因したクッションパッド２０の変位に連動して動かない部材に支持された。しかしながら、磁気センサ３２がばね１３又はクッションパッド２０に固定され、磁石が磁気センサ３２よりも下側に位置する状態で着座に起因したクッションパッド２０の変位に連動して動かない部材に支持されていても良い。
【００７３】
また上記実施形態では、ばね１３の形状がＳ字状とされたが、例えばＺ字状など、様々な形状を適用することができる。なお、ばね１３の屈曲部分の繰り返し間隔は、連続していても良く、所定間隔おきであっても良く、ランダムであっても良い。また、繰り返すべき屈曲部分の形状は、同じであっても良く、例えばＳ字状とＺ字状とを組み合わせる、あるいは、コ字状又はＵ字状を反転した形状同士を組み合わせるといったように異なっていても良い。さらに、屈曲部分の繰り返し数は、なくても良いが、あったほうが好ましい。なお、複数本のばね１３がクッションパッド２０の前後方向に張り渡されたが、左右方向あるいは斜め方向にあっても良い。
【００７４】
なお、座席装置１又は２における各構成要素は、第１実施形態、第２実施形態及び他の実施形態に示された内容以外に、適宜、本願目的を逸脱しない範囲で組み合わせ、省略、変更、周知技術の付加などをすることができる。
【産業上の利用可能性】
【００７５】
本発明は、車両等の乗り物の座席に対して利用可能性があり、シートベルトを着用すべき座席に対して特に利用可能性がある。
【符号の説明】
【００７６】
１，２・・・座席装置
１０・・・クッション載置ユニット
１１・・・架台
１２・・・支持フレーム
１３・・・ばね
２０・・・クッションパッド
２１・・・背もたれ部材
３０・・・着座センサユニット
３１・・・永久磁石
３２・・・磁気センサ
３３・・・センサ支持部
４０・・・磁石固定具
【図１】
2015227065.tif 000003
【図２】
2015227065.tif 000004
【図３】
2015227065.tif 000005
【図４】
2015227065.tif 000006
【図５】
2015227065.tif 000007